(57)【要約】【課題】ＬＥＤ式警報灯等でも残光を生じる点滅制御を行う断続リレー回路を簡便に実現する。【解決手段】閃光灯Ｌ１，Ｌ２を所定周期で点滅させるための断続リレー回路において、その点滅の基本パターンについての波形データを保持する波形データ記憶手段４０と、その波形データを読み出しそれに基づいて上記所定周期で上記基本パターンの波形を繰り返す切換制御信号φ１，φ２を生成する波形データ読出手段３０と、切換制御信号φ１，φ２に従って閃光灯Ｌ１，Ｌ２に対する駆動状態を切り換える駆動回路１０，２０とを備え、上記所定周期より短い周期で繰り返し反転する残光用パターンデータを上記波形データに含ませる。【選択図】　　　　図１
2004014489.tif 000002
【特許請求の範囲】
【請求項１】
閃光灯を所定周期で点滅させるための断続リレー回路において、その点滅の基本パターンについての波形データを保持する波形データ記憶手段と、その波形データを読み出しそれに基づいて前記所定周期で前記基本パターンの波形を繰り返す切換制御信号を生成する波形データ読出手段と、前記切換制御信号に従って前記閃光灯に対する駆動状態を切り換える駆動回路とを備え、前記波形データには前記所定周期より短い周期で繰り返し反転する残光用パターンデータが含まれていることを特徴とする断続リレー回路。
【請求項２】
一対の閃光灯を所定周期で交互に点滅させるための断続リレー回路において、その点滅の基本パターンについての波形データをデジタル値で保持する波形データ記憶手段と、その波形データを読み出しそれに基づいて前記所定周期で前記基本パターンの波形を繰り返す一対の切換制御信号であって１８０度位相のずれた信号を生成する波形データ読出手段と、前記切換制御信号の一方に従って前記閃光灯の一方に対する駆動電流の出力有無を切り換えるとともに前記切換制御信号の他方に従って前記閃光灯の他方に対する駆動電流の出力有無を切り換える駆動回路とを備え、前記波形データには前記所定周期より短い周期で繰り返し反転する残光用パターンデータが含まれていることを特徴とする断続リレー回路。
【発明の詳細な説明】
【０００１】
【発明の属する技術分野】
この発明は、鉄道用の踏切警報機等の保安装置に用いられる断続リレー回路に関し、詳しくは、そのような保安装置に装備された警報灯等の閃光灯に対する点滅駆動を担う断続リレー回路に関する。
【０００２】
【従来の技術】
図６に示した従来の断続リレーは、一対の踏切警報灯Ｌ１，Ｌ２を交互に点滅させるためのもので、一つは（図６（ａ）参照）２個の緩動リレーを組み合わせて構成したものであり、もう一つは（図６（ｂ）参照）無接点化を図ったＳＣＲ式のものである。内部の詳細な説明は割愛するが、何れも、警報制御リレーＲ等に応じて入力端子（＋，−）間に２４Ｖ等の所定電圧が印加されると、数十回／分の一定周期（所定周期）で駆動電圧の印加すなわち駆動電流の出力を断続させることで、踏切警報灯Ｌ１，Ｌ２を点滅させるようになっている。
【０００３】
また、その多くは、その点滅のパターンすなわち駆動電流の出力有無または駆動電圧の印加の有無を示す波形が、デューティ比５０％のオンオフ波形・パルス波形・矩形になっていて、踏切警報灯Ｌ１，Ｌ２に対するものの位相が反転している（図６（ｃ），（ｄ）参照）。
そして、そのような駆動が行われると、踏切警報灯Ｌ１，Ｌ２が交互に点滅を繰り返すが、それらがフィラメント式の電球であれば、その滅灯に際してフィラメントの熱特性に依存した残光が見られた（図６（ｅ），（ｆ）参照）。
【０００４】
【発明が解決しようとする課題】
ところが、近年では鉄道用信号機の警報灯等に関してフィラメント式電球に代えてＬＥＤ式の電球を用いる割合が増えており（例えば、特開２０００−５２９８８号公報、実用新案登録第３０６８５０２号）、そのようなＬＥＤ式電球を従来の断続リレーで駆動した場合、点滅は適正に行われるのであるが、ＬＥＤの高速応答性により、はぎれよく点滅するため、違和感を持たれることが有る。
そこで、ＬＥＤ式電球を点滅させるに際して滅灯時に残光が伴うようにすることが要請されるが、その際、ＬＥＤの高応答性等を利用して成る可く簡単で便利な回路構成で具現化することが技術的な課題となる。
この発明は、このような課題を解決するためになされたものであり、ＬＥＤ式警報灯等でも残光を生じる点滅制御を行う断続リレー回路を簡便に実現することを目的とする。
【０００５】
【課題を解決するための手段】
このような課題を解決するために発明された第１乃至第２の解決手段について、その構成および作用効果を以下に説明する。
【０００６】
［第１の解決手段］
第１の解決手段の断続リレー回路は、出願当初の請求項１に記載の如く、（警報灯等の）閃光灯を所定周期で点滅させるための断続リレー回路において、その点滅の基本パターン（すなわち前記所定周期で繰り返されるパターン）について（その全部または一部を定めるための）の波形データを保持する波形データ記憶手段と、その波形データを読み出しそれに基づいて前記所定周期で前記基本パターンの波形を繰り返す切換制御信号を生成する波形データ読出手段と、前記切換制御信号に従って前記閃光灯に対する駆動状態を切り換える駆動回路とを備え、前記波形データには前記所定周期より短い周期で繰り返し反転する残光用パターンデータが含まれている、というものである。
【０００７】
このような第１の解決手段の断続リレー回路にあっては、閃光灯を所定周期で点滅させる際に、波形データが読み出され、それに基づいて点滅の繰り返しパターンが定められるが、その波形データには残光用パターンデータが含まれているので、所定周期でやって来る基本的な滅灯の度に、それより短周期で繰り返される高速の点滅が付加される。そして、この高速点滅が残光に見える。
これにより、閃光灯がはぎれよく点滅するものであっても、残光を伴った点滅を行わせることが可能となる。
【０００８】
しかも、それに必要な波形データ記憶手段や波形データ読出手段は、半導体技術に基づいたメモリや順序回路などを用いて簡単に具現化できる。さらに、例えＬＥＤの発光特性が非線形であっても、切換駆動によってＬＥＤの発光特性の中間部分の影響が回避されることから、波形データ記憶手段に保持される波形データを編集・調製・調整する等のことで容易に所望の残光特性を実現できるので、便利である。
したがって、この発明によれば、ＬＥＤ式閃光灯でも残光を生じる点滅制御を行う断続リレー回路を簡便に実現することができる。
【０００９】
［第２の解決手段］
第２の解決手段の断続リレー回路は、出願当初の請求項２に記載の如く、（踏切警報灯等の）一対の閃光灯を所定周期で交互に点滅させるための断続リレー回路において、その点滅の基本パターン（すなわち前記所定周期で繰り返されるパターン）について（その全部または一部を定めるための）の波形データをデジタル値で保持する波形データ記憶手段と、その波形データを読み出しそれに基づいて前記所定周期で前記基本パターンの波形を繰り返す一対の切換制御信号であって１８０度位相のずれた信号（すなわち位相の反転している信号）を生成する波形データ読出手段と、前記切換制御信号の一方に従って前記閃光灯の一方に対する駆動電流の出力有無を切り換えるとともに前記切換制御信号の他方に従って前記閃光灯の他方に対する駆動電流の出力有無を切り換える駆動回路とを備え、前記波形データには前記所定周期より短い周期で繰り返し反転する残光用パターンデータが含まれている、というものである。
【００１０】
このような第２の解決手段の断続リレー回路にあっては、一対の警報灯のそれぞれに対して上述した残光付きの点滅制御が行われる。しかも、その切換制御信号の生成に際して波形データ記憶手段が共用されるので、回路規模が小さくて済む。
したがって、この発明によれば、一対の警報灯がＬＥＤ式であっても共に残光を生じる点滅制御を行う断続リレー回路を簡便に実現することができる。
【００１１】
【発明の実施の形態】
このような解決手段で達成された本発明の断続リレー回路について、これを実施するための具体的な形態を、以下の第１〜第４実施例により説明する。
図１，図２に示した第１実施例は、上述した第１，第２の解決手段を具現化したものであり、図３に示した第２実施例、図４に示した第３実施例、図５に示した第４実施例は、その変形例である。
【００１２】
【第１実施例】
本発明の断続リレー回路の第１実施例について、その具体的な構成を、図面を引用して説明する。図１（ａ）は概要ブロック図であり、図２は、現示回路に応用された具体的な回路図である。
【００１３】
この断続リレー回路には、共にＬＥＤ式電球からなる踏切警報灯Ｌ１，Ｌ２を所定周期たとえば１．２秒の周期で交互に点滅させるためのものであり、そのために（図１参照）、踏切警報灯Ｌ１を接続するための接続端子１，２と、踏切警報灯Ｌ２を接続するための接続端子３，４と、踏切警報灯Ｌ１，Ｌ２の駆動に必要な電力たとえば２０数Ｖで数Ａ（以下、入力電源電圧と呼ぶ）を入力するため図示しない電源や制御回路等に接続される接続端子５，６とが設けられ、内部では、適宜の絶縁被覆電線やパターン配線等からなる給電線によって、接続端子５と接続端子１及び接続端子３とが接続され、接続端子６と接続端子２及び接続端子４とが接続されている。
【００１４】
その給電線のうち踏切警報灯Ｌ１に関する部分に対し、具体的には接続端子２，６間の給電線に対し、導通／遮断の切換を行う駆動回路１０が介挿接続されるとともに、給電線のうち踏切警報灯Ｌ２に関する部分に対し、具体的には接続端子４，６間の給電線に対し、導通／遮断の切換を行う駆動回路２０が介挿接続されていて、踏切警報灯Ｌ１，Ｌ２に対する駆動電流の出力有無を独立に切り換えられるようになっている。
【００１５】
また、駆動回路１０，２０それぞれの切換状態を支配する切換制御信号φ１，φ２を生成するために、波形データ読出手段３０と波形データ記憶手段４０も設けられている。
さらに（図２参照）、それら内部回路１０〜４０の動作に必要な電圧Ｖｄｄ，Ｖｃｃを内部で生成するために、電源回路５０が設けられるとともに、動作確認や保護などのために、接続端子７や付加回路６１〜６７も設けられている。
【００１６】
それらの回路について個々に詳述すると、先ず、付加回路６１〜６７のうち保安器回路６１は、出力側の接続端子１，２間に設けられてそこへの異常電圧等をケース等へ逃がすものであり、保安器回路６２は、出力側の接続端子３，４間に設けられてそこへの異常電圧等をケース等へ逃がすものであり、保安器回路６６は、入力側の接続端子５，６間に設けられてそこへの異常電圧等をケース等へ逃がすとともに両端子間の電圧が大きくなりすぎないようにするものであり、保安器回路６７は、入力側の接続端子７，６間に設けられて両端子間の電圧が大きくなりすぎないようにするものである。
【００１７】
付加回路６１〜６７のうち故障検知部６５は、コイルの一端が接続端子５に接続され他端が端子７に接続された故障検知器リレーＲｅと、コンデンサーと抵抗との直列回路とを具えている。その直列回路は、故障検知器リレーＲｅのコイルに並列接続されている。このような故障検知部６５は、フェールセーフのため、詳しくは後の動作説明にて述べるが、いかなる故障がおきても警報灯Ｌ１，Ｌ２が不滅灯状態にならないように、警報灯Ｌ１，Ｌ２の点灯制御を行うものである。
【００１８】
電源回路５０には、絶縁形ＤＣ−ＤＣコンバータ５１，５２が設けられ、これらは何れも入力端子が接続端子５と接続端子６とに接続されて入力電源電圧を入力するようになっている。また、それらのうち絶縁形ＤＣ−ＤＣコンバータ５１は、波形データ読出手段３０や波形データ記憶手段４０の電源として好適な例えば５Ｖの直流電圧Ｖｄｄを生成してそこに供給するようになっており、絶縁形ＤＣ−ＤＣコンバータ５２は、駆動回路１０や駆動回路２０の動作に必要な電源として好適な例えば１５Ｖの直流電圧Ｖｃｃを生成してそこに供給するようになっている。
【００１９】
波形データ記憶手段４０は、デジタル値の波形データを恒常的に保持しうる例えばＲＯＭやフラッシュメモリで具体化され、それには、１．２秒の所定周期で繰り返される点滅の基本パターンに関する波形データのうち、０．２〜０．３秒を占める部分だけが書き込まれている。これが二値のビット列からなる残光用パターンデータであり、その各ビットが数〜数十マイクロ秒（μｓ）例えば１０μｓ毎に読み出されて点滅制御に用いられることを前提としてその期間の点滅状態を規定するものとなっている。
【００２０】
その波形データは、残光用なので、ビット列の先頭から後尾に亘って、点灯を指示する値のビット数と滅灯を指示する値のビット数との割合に関する局所平均の変化を見ると、例えば数ビット〜数十ビット（数十マイクロ秒〜数ミリ秒の期間）毎の割合変化を見ると、点灯が漸減して滅灯が漸増するようになっている。より具体的な例を挙げると、波形データ記憶手段４０に、１２ビット×２０４８ワードのＲＯＭが採用され、その各ワードに、上位側ビットが値“０”で下位側ビットが値“１”の１２ビットデータが書き込まれて、アドレス値が“０”の先頭ワードはデータ“０１１１１１１１１１１１”を保持し、アドレス値が“２０４７”の後尾のワードはデータ“０００００００００００１”を保持し、それらの中間の各ワードではアドレスが幾つか進む度に１２ビットデータ中のビット値“０”の個数が一つずつ増えるようになっている。
【００２１】
波形データ読出手段３０には、一対の切換制御信号φ１，φ２を生成するときの動作タイミングを規定するために、周期１０マイクロ秒のビットクロックや周期１２０マイクロ秒のワードクロックを発生するクロック発生回路３１と、そのクロックから周期０．６秒の分周クロックを生成する分周回路３２が設けられている。また、その分周クロックをトリガー入力とするＴフリップフロップ等にて周期１．２秒（所定周期）の正転信号（Ｑ）および反転信号（Ｑ￣）を生成する相反信号生成回路３３も設けられており、正転信号は波形合成回路３６へ送出され、反転信号は波形合成回路３７へ送出されるようになっている。
【００２２】
さらに、波形データ読出手段３０には、ビットクロックに基づいてビットシフトを行う１２ビットシフトレジスタ等からなる２組の逐次送出回路３４，３５が設けられている。そして、詳細な図示は割愛したが、何れに対してもワードクロックに基づいてアドレスをインクリメントしながら波形データ記憶手段４０からワード単位で波形データを読み出してパラレルロードさせる読出回路が付加されている。その一連の（すなわち２０４８ワードの）読出は分周クロックに基づき周期０．６秒で間欠的に繰り返され、読出データは、２０４８ワード毎に、相反信号生成回路３３の正転信号が値“１”から値“０”へ（点灯から滅灯へ）変化するとき又はその直後は逐次送出回路３４に振り分けられ、相反信号生成回路３３の反転信号が値“１”から値“０”へ変化するとき又はその直後は逐次送出回路３５に振り分けられるようになっている。
【００２３】
そして、逐次送出回路３４でのパラレル−シリアル変換によって生成されたビット列は波形合成回路３６に送られ、そこで相反信号生成回路３３からの正転信号と合成されて切換制御信号φ１が生成される一方、逐次送出回路３５でのパラレル−シリアル変換によって生成されたビット列は波形合成回路３７に送られ、そこで相反信号生成回路３３からの反転信号と合成されて切換制御信号φ２が生成される。このような一対の切換制御信号φ１，φ２は、波形データ記憶手段４０に記憶されている上述の波形データに基づいて生成され所定周期で点滅の基本パターンについての波形を繰り返す信号であって互いに位相のずれたものとなっている。
【００２４】
駆動回路１０は、切換制御信号φ１に従って踏切警報灯Ｌ１に対する駆動電流の出力有無を切り換えるために、踏切警報灯Ｌ１への給電線に介挿され導通／遮断を行うフォトアイソレータ１３を具えているが、切換制御信号φ１が５Ｖや３．３Ｖ等の低い電圧Ｖｄｄなのに対し踏切警報灯Ｌ１の駆動電圧が２０数Ｖと高いことから、切換制御信号φ１を入力とするオープンコレクタ出力のＮＯＴゲート１１でフォトアイソレータ１２を駆動することで制御信号の電圧を電圧Ｖｄｄから電圧Ｖｃｃに高め、それでフォトアイソレータ１３を制御するようになっている。さらに、このように２段のアイソレータ回路を有することは、端子１，２と警報灯Ｌ１を接続するケーブル（通常は踏切道床内に敷設されている）へ誘起する雷サージ電圧を波形記憶回路４０や波形読出し回路３０へ侵入させない目的がある。駆動回路２０も、同様にＮＯＴゲート２１とフォトアイソレータ２２，２３を具えるが、これは、切換制御信号φ２に従って踏切警報灯Ｌ２に対する駆動電流の出力有無を切り換えるようになっている。
【００２５】
この第１実施例の断続リレー回路について、その使用態様及び動作を、図面を引用して説明する。図１（ｂ）〜（ｆ）は、切換制御信号φ１，φ２及びその生成に寄与する幾つかの信号波形例である。すなわち、図１（ｂ）は相反信号生成回路３３の正転信号Ｑ、同図（ｃ）は逐次送出回路３４のシリアル出力、同図（ｄ）は切換制御信号φ１に関し、所定周期の半分強の期間であって値“１”から値“０”へ（点灯から滅灯へ）変化するところを含んだ波形例である。また、同図（ｅ）は切換制御信号φ１、同図（ｆ）は切換制御信号φ２に関し、点滅の基本パターンを３回ほど繰り返した（約３周期分の）波形例である。
【００２６】
列車が踏切警報の警報区間に存在しないときには警報制御リレーＲが動作をしており、警報制御リレーＲの動作接点を介して端子７に負の電圧（Ｃ２４）が印可されている。故障検知器リレーＲｅのコイルには、端子５から正の電圧（Ｂ２４）が印可されているので、故障検知器リレーＲｅは励磁され動作状態を維持している。
列車が警報区間に進入すると、警報制御リレーＲは復旧するので、端子７への電源供給は絶たれ、その代わり端子６へ負の電源が供給される。その結果、電源回路５０に電源が投入され、波形記憶回路４０、波形読出回路３０の動作が開始する。そして、前記の動作にしたがって、警報灯の点滅制御動作を開始する。
そのとき、フォトアイソレータ１３，２３は交互に導通・非導通を繰り返すので、ダイオード６３を通して故障検知器リレーＲｅは、故障検知器リレーＲｅの動作接点を介して電源の供給が継続されるので動作を維持する。その場合、故障検知器リレーＲｅに並列に接続されているコンデンサーと抵抗は、その切替わる瞬間に電源が絶たれ故障検知器リレーＲｅが復旧しないように電荷を蓄積しておく働きをする。
【００２７】
後者の消灯状態では、付加回路６１〜６７が動作しうるだけで、波形データ読出手段３０やその制御を受ける駆動回路２０，１０は動作せず、フォトアイソレータ１３，２３が給電線を遮断しているので、踏切警報灯Ｌ１，Ｌ２に駆動電流は供給されない。必然的に、消灯状態の踏切警報灯Ｌ１，Ｌ２が点滅することもない。
これに対し、列車が警報区間に進入して接続端子５，６間に入力電源電圧が印加されると、電源回路５０が作動するとともに、その電力を受給して内部回路１０〜４０が以下のように動作して、踏切警報灯Ｌ１，Ｌ２が所定周期で交互に点滅する。
【００２８】
すなわち、クロック発生回路３１及び分周回路３２で生成された分周クロックに基づき相反信号生成回路３３によって、０．６秒毎に反転を繰り返す正転信号Ｑが生成されるとともに（図１（ｂ）参照）、それが値“１”から値“０”へ反転したときには、クロック発生回路３１からのワードクロックに同期した波形データ記憶手段４０からの読出と、ビットクロックに同期した逐次送出回路３４のビットシフトとによって、１２０マイクロ秒の短周期で繰り返し反転する約０．２５秒の残光用付加信号が生成され（図１（ｃ）参照）、さらに、それらが波形合成回路３６によって合成されて、切換制御信号φ１が生成される（図１（ｄ），（ｅ）参照）。同様にして、逐次送出回路３５や波形合成回路３７によって切換制御信号φ２が生成されるが、これは切換制御信号φ１に対して位相が０．６秒（所定周期の半分）ずれている（図１（ｆ）参照）。
【００２９】
そして、これら切換制御信号φ１，φ２に従って駆動回路１０，２０が導通／遮断を繰り返すと、踏切警報灯Ｌ１，Ｌ２は交互に１．２秒の所定周期で点滅し、何れも、その０．６秒の点灯の後に来る滅灯に際し、直後の約０．２５秒間に亘って、１２０マイクロ秒の短周期で点滅しながら点灯の割合を減らし、それから０．３５秒の完全な滅灯状態になる。その約０．２５秒間の点滅は、高速なので個々には視認できず、緩やかに光が消えていく残光として見える。
こうして、デジタル回路や切換回路を用いて簡便に、ＬＥＤ式警報灯でもフィラメント式電球に似た残光を伴って点滅させることができる。
【００３０】
何らかの原因により波形記憶回路４０、波形読出回路３０が故障して動作を停止するか、フォトアイソレータ１３，２３が非導通故障となった場合には警報灯は点滅表示しなくなる可能性がある。
そうした時には、ダイオード６３が非導通となり、故障検知器リレーＲｅへの電源供給が絶たれることになる。
いったんでも故障検知器リレーＲｅの電源供給が絶たれると故障検知器リレーＲｅは復旧状態（無励磁状態）を維持する。
その結果、故障検知器リレーＲｅの復旧接点を介して警報灯Ｌ１と警報灯Ｌ２には電源が供給され、連続点灯状態となる。つまり、いかなる故障がおきても警報灯は不滅灯状態とはならないフェールセーフ動作となる。
【００３１】
【第２実施例】
図３に外観斜視図を示したＦＦ−Ｂ形（据置形）の断続リレー（装置）は、上述した本発明の断続リレー回路を所定の筐体内に納めて一のユニットに纏め上げたものである。この場合、接続端子１〜７が何れも筐体外面に植設されてケーブル端等をネジ止めしうるようになっている。その他、図示は割愛したが、筐体に把手の付いたＦＦ−Ａ形（差入形）の断続リレーにしても良い。
あるいは、そのような単独ユニットで無く、警報現示回路や信号制御回路等に組み入れて、その部分回路にしても良い。その場合、接続端子１〜７は、接続ラインや給電線等の配線に吸収されて明示的には設けられないこともある。
【００３２】
【第３実施例】
図４にブロック図で波形データの記憶手段と読出手段の別回路を示した本発明の断続リレー回路が上述した第１実施例のものと相違するのは、波形データ記憶手段４０に２ビット×ｎワード（ｎは点滅の基本パターンの総ビット数）のＲＯＭが採用された点と、波形データ読出手段３０にｎ進カウンタが採用された点である。そのＲＯＭの各ワードの上位ビットには切換制御信号φ１について所定周期で１周期分の波形データを記憶させ、各ワードの下位ビットには切換制御信号φ２について１周期分の波形データを記憶させる。それらの中には、半周期毎の反転パターンに加えて短周期の残光用パターンも含ませておく（図１（ｅ），（ｆ）の１周期分を参照）。
【００３３】
この場合、ｎ進カウンタがビットクロックに基づいてＲＯＭの読出アドレスを更新すると、アドレス値が“０”〜“ｎ−１”を一巡する度に、第１実施例のときと同じ波形の切換制御信号φ１，φ２が生成される。
こうして、カウンタを利用して波形データ読出手段３０を簡便に具体化することができる。
【００３４】
【第４実施例】
図５（ａ）に要部回路のブロック図を示した本発明の断続リレー回路が上述した第３実施例のものと相違するのは、ＲＯＭが１ビット×ｎワードのものになった点と、切換制御信号φ２が切換制御信号φ１を反転して生成されるようになった点である。なお、ＲＯＭに記憶させる基本パターンの波形データには、点灯から滅灯へ変化するところに残光用パターンを含ませるだけでなく、滅灯から点灯へ変化するところに残光用パターンの反転パターンを含ませておく。
【００３５】
この場合、踏切警報灯Ｌ１，Ｌ２が所定周期で交互に点滅する際に、滅灯時に限らず点灯時も穏やかに光度が変化するので、更に違和感が少なくなる。また、所定周期レベルに限らず短周期レベルでみても、切換制御信号φ１，φ２には反転関係・相補的関係があり（図５（ｂ），（ｃ）参照）、その関係が踏切警報灯Ｌ１，Ｌ２の駆動電流にも引き継がれるので、入力電源電圧の印加によって接続端子５，６間に流れる電流は、ほぼ一定に維持される。これにより、この断続リレー回路を制御する警報現示回路等の応用回路における電源事情が緩和される、という効果もある。
【００３６】
【その他】
なお、上記の各実施例で説明した接続端子７や付加回路６１〜６７は、本発明の実施に必須では無い。実用化に際して要求される保護機能やフェールセーフ機能を満たせば、適宜、変形しても良く、簡素にしたり省いても良い。
また、電源回路５０は、上述したものに限られる訳でなく、波形データ読出手段３０等の動作電力を供給できるものであれば良い。集中している必要もなく、分散していても良い。各回路素子やＩＣ等に内蔵されていても良く、各回路素子やＩＣ等が入力電源電圧で動作可能であれば明示的に設ける必要もない。
さらに、上記第１実施例で述べた波形合成回路３６，３７は、図２に示したようにＯＲゲートで両波形を重畳させるものに限られる訳で無く、残光用パターンの波形を持った付加信号を所定周期の正転信号や反転信号の終縁に付加しうるものであれば良い。例えばＡＮＤゲートでマスキングするものでも良い。
【００３７】
【発明の効果】
以上の説明から明らかなように、本発明の第１の解決手段の断続リレー回路にあっては、残光用パターンを含んだ波形データを読み出して閃光灯の点滅制御を行うようにしたことにより、ＬＥＤ式閃光灯でも残光を生じる点滅制御を行う断続リレー回路を簡便に実現することができたという有利な効果が有る。
【００３８】
また、本発明の第２の解決手段の断続リレー回路にあっては、残光用パターンを含んだ波形データを読み出して警報灯の点滅制御を行うとともにその際に波形データ記憶手段が共用されるようにしたことにより、一対の警報灯がＬＥＤ式であっても共に残光を生じる点滅制御を行う断続リレー回路を簡便に実現することができたという有利な効果を奏する。
【図面の簡単な説明】
【図１】本発明の断続リレー回路の第１実施例について、概要構成および動作状態を示し、（ａ）がブロック図、（ｂ）〜（ｆ）が信号波形例である。
【図２】その具体的な回路図である。
【図３】本発明の断続リレー回路の第２実施例について、外観斜視図である。
【図４】本発明の断続リレー回路の第３実施例について、要部のブロック図である。
【図５】本発明の断続リレー回路の第４実施例について、その要部回路の構成および動作状態を示し、（ａ）がブロック図、（ｂ）及び（ｃ）が波形例である。
【図６】従来の断続リレーについて、（ａ）が２個の緩動リレーを組み合わせたもの、（ｂ）がＳＣＲ式のもの、（ｃ）〜（ｆ）が波形例である。
【符号の説明】
Ｌ１，Ｌ２　踏切警報灯（フィラメント式やＬＥＤ式の電球、閃光灯）
１，２　　　接続端子（出力端子、Ｌ１＋，Ｌ１−）
３，４　　　接続端子（出力端子、Ｌ２＋，Ｌ２−）
５，６，７　接続端子（入力端子、Ｂ２４，ＰＲ，ＲＮ）
１０　　　　駆動回路（Ｌ１用スイッチ回路、切換回路）
１１　　　　　　ＮＯＴゲート（オープンコレクタ出力の論理素子）
１２　　　　　　フォトアイソレータ（Ｖｄｄ−Ｖｃｃ変換、一次昇圧）
１３　　　　　　フォトアイソレータ（Ｖｃｃ−Ｂ２４変換、二次昇圧）
２０　　　　駆動回路（Ｌ２用スイッチ回路、切換回路）
２１　　　　　　ＮＯＴゲート（オープンコレクタ出力の論理素子）
２２　　　　　　フォトアイソレータ（Ｖｄｄ−Ｖｃｃ変換、一次昇圧）
２３　　　　　　フォトアイソレータ（Ｖｃｃ−Ｂ２４変換、二次昇圧）
３０　　　　波形データ読出手段（繰り返しアクセス回路）
３１　　　　　　クロック発生回路（ＣＬＫ、発振回路）
３２　　　　　　分周回路
３３　　　　　　相反信号生成回路（ＦＦ、Ｔフリップフロップ）
３４，３５　　　逐次送出回路（ＳＲ、シフトレジスタ、並列直列変換）
３６，３７　　　波形合成回路（ＯＲゲート、ＡＮＤゲート）
４０　　　　波形データ記憶手段（ＲＯＭ、不揮発性メモリ）
５０　　　　電源回路
５１　　　　　　絶縁形ＤＣ−ＤＣコンバータ（電圧Ｖｄｄ生成手段）
５２　　　　　　絶縁形ＤＣ−ＤＣコンバータ（電圧Ｖｃｃ生成手段）
６１，６２　保安器回路（出力側サージアブソーバ）
６３　　　　ダイオード（動作確認手段）
６４　　　　リレー接点（動作確認手段）
６５　　　　故障検知部（故障検知リレー、動作確認手段）
６６，６７　保安器回路（入力側サージアブソーバ）
【図１】
2004014489.tif 000003
【図２】
2004014489.tif 000004
【図３】
2004014489.tif 000005
【図４】
2004014489.tif 000006
【図５】
2004014489.tif 000007
【図６】
2004014489.tif 000008